(57)【要約】  内部空間（３）と壁（４〜９）とを有する立方体ハウジング（２）を含む貯蔵容器であって、それにより少なくとも前壁（９）は開口（１０）が設けられ、およびそれにより少なくとも側壁（６、７）はそれらの外面側に連結手段（１１）が設けられ、連結手段（１１）は、連結手段（１１）によってそのような貯蔵容器（１）を、それらの両方の前壁（９）が同じ面にある状態で、または貯蔵容器（１）の一方の前壁が他方の貯蔵容器（１）の後壁と同じ面にある状態で、連結することが可能になるような方法で作製される。【選択図】図１
2014532011.tif 000002
【特許請求の範囲】
【請求項１】
内部空間（３）を画定する概ね立方体のハウジング（２）を含む貯蔵容器であって、前記ハウジング（２）が、底壁（４）、上壁（５）、左側壁（６）、右側壁（７）、後壁（８）、および前壁（９）を含み、全てが概ね正方形の外形を有し、それにより少なくとも前記前壁（９）は、上記壁（４〜９）によって画定された前記内部空間（３）へのアクセスを提供する開口（１０）が設けられ、およびそれにより少なくとも前記側壁（６〜７）はそれらの外面側に連結手段（１１）が設けられ、それによりこれら連結手段（１１）は、連結手段（１１）により前記貯蔵容器（１）が、それらの両方の前壁が同じ面にある状態で、または前記貯蔵容器（１）の一方の前記前壁が他方の貯蔵容器（１）の前記後壁と同じ面にある状態で連結されることが可能になるような方法で作製され、それにより前記側壁（６〜７）に設けられた前記連結手段（１１）が少なくとも二柱式にされ、それにより対向する柱が相補的、すなわち結合可能であり、前記前壁（９）および前記後壁（８）に平行でありかつこれら壁（８〜９）の間の中間に概ね位置付けられる第１垂直正中面に対して対称に位置付けられる貯蔵容器において、前記左側壁（６）の前記連結手段（１１）および前記右側壁（７）の前記連結手段（１１）を少なくとも含む前記２つの柱のそれぞれが、１つの雄型部分（１２）と１つの雌型部分（１３）からなり、それにより第１の柱の前記雄型部分（１２）が他方の柱の前記雌型部分（１３）と少なくとも相補的であり、およびそれにより壁（６〜７）あたり合計４つの前記連結手段が、該当する前記側壁の真中に概ね設けられた仮想正方形の角に位置付けられ、それにより２つの前記雄型部分（１２）および２つの前記雌型部分（１３）が前記仮想正方形の対角すなわち隣接しない角を占めることを特徴とする、貯蔵容器。
【請求項２】
請求項１に記載の貯蔵容器において、前記左側壁（６）の対向する柱が、前記右側壁（７）の前記柱と反対に位置付けられ、すなわち、前記左側壁（６）の正の柱が前記前壁（９）付近に、従って負の柱が前記後壁（８）付近に位置付けられるが、これは前記右側壁（７）において反対である、すなわち逆であることを特徴とする貯蔵容器。
【請求項３】
請求項１に記載の貯蔵容器において、前記上に位置付けられた前記連結手段が相補的であること、前記底に位置付けられた前記連結手段が相補的であること、しかし互いの上に垂直に配置された前記連結手段が相補的でないことを特徴とする貯蔵容器。
【請求項４】
請求項１に記載の貯蔵容器において、前記上に位置付けられた前記連結手段が相補的であること、前記底に位置付けられた前記連結手段が相補的であること、および同じく互いの上に垂直に配置された前記連結手段が相補的であることを特徴とする貯蔵容器。
【請求項５】
請求項１乃至４の何れか一項に記載の貯蔵容器において、前記雄型部分（１２）が、第１の外径を有する円筒状突起であって、自由端部付近に密閉キャップ（１４）が設けられているかいないかのどちらかであり、設けられている場合はスタッド（１５）と呼ばれる円筒状突起からなり、一方で、前記雌型部分（１３）が、スリーブ（１６）とも呼ばれ、前記第１の外径といくらかの遊びを持って対応する第１の内径によって特徴づけられる、開口端部を有する円筒状突起からなり、その結果、前記雄型部分を適切な方法で、例えば押し込む方法で、前記雌型部分に挿入できることを特徴とする貯蔵容器。
【請求項６】
請求項１乃至５の何れか一項に記載の貯蔵容器において、前記後壁（８）は、側壁（６、７）に設けられた前記連結手段（１１）に対応する連結手段（１１）が設けられ、その結果、２つのそのような貯蔵容器（１）を、それぞれの後壁（８）を相互に連結することによって、または後壁（８）を側壁（６、７）に連結することによって、連結できることを特徴とする貯蔵容器。
【請求項７】
請求項１乃至６の何れか一項に記載の貯蔵容器において、前記底壁（４）および前記上壁（５）は相補的連結手段（１１）が設けられることを特徴とする貯蔵容器。
【請求項８】
請求項７に記載の貯蔵容器において、前記底壁（４）に設けられた前記連結手段（１１）が少なくとも２つの連結手段からなり、前記少なくとも２つの連結手段が、全体として、前記上壁（５）に設けられた少なくとも２つの連結手段と相補的であることを特徴とする貯蔵容器。
【請求項９】
請求項８に記載の貯蔵容器において、前記底壁（４）の前記少なくとも２つの連結手段のそれぞれが、前記上壁（５）の前記少なくとも２つの連結手段のそれぞれと相補的であること、および前記底壁（４）および前記上壁（５）の前記少なくとも２つの連結手段が、前記左側壁（６）および右側壁（７）と平行にかつそれらの真中に位置付けられた第２垂直正中面に対して対称に位置付けられることを特徴とする貯蔵容器。
【請求項１０】
請求項９または５に記載の貯蔵容器において、前記上壁（５）に設けられた前記連結手段（１１）が、該当する前記上壁（５）の真中に概ね提供された仮想正方形の角に位置付けられた２つのスタッド（１５）および２つのスリーブ（１６）を含み、それにより前記２つのスタッド（１５）および前記２つのスリーブ（１６）が前記仮想正方形の対角すなわち隣接しない角を占め、およびそれにより前記スタッド（１５）の外径および／またはこれらスリーブの内径および／またはそれらの相互位置が、前記側壁（６、７）に設けられたスタッド（１５）およびスリーブ（１６）の対応する直径または位置から制限範囲まで逸脱し、その結果、視覚的相似性が得られるが、第１貯蔵容器（１）の前記上壁（５）の、側壁（６、７）に対する意図しない連結が不可能にされることを特徴とする貯蔵容器。
【請求項１１】
請求項９または１０に記載の貯蔵容器において、前記底壁（４）に設けられた前記連結手段（１１）が、前記上壁（５）に設けられた前記スタッド（１５）およびスリーブ（１６）と相補的な４つのスリーブを含むことを特徴とする貯蔵容器。
【請求項１２】
請求項１０または１１に記載の貯蔵容器において、前記上壁（５）に設けられた前記２つのスタッド（１５）が、前記側壁（６、７）に設けられた前記スタッド（１５）の前記第１の外径に対応する外径を有すること、前記上壁（５）の前記スリーブ（１６）が前記側壁（６、７）に設けられた前記スリーブの内径より小さい内径を有すること、前記上壁（５）の前記スリーブ（１６）が、前記側壁（６、７）に設けられた前記スタッド（１５）の外径に概ね対応する外径を有すること、および前記底壁（４）の前記スリーブ（１６）が、前記側壁（６、７）に設けられた前記スリーブ（１６）の前記第１の内径に対応する内径を有することを特徴とする貯蔵容器。
【請求項１３】
請求項１乃至１２の何れか一項に記載の貯蔵容器において、前記貯蔵容器（１）が、底壁（４Ｌ）、開口上側（５Ｌ）、左側壁（６Ｌ）、右側壁（７Ｌ）、後壁（８Ｌ）および前壁（９Ｌ）が設けられた引出し（１８）を含み、それにより、水平に配置された底壁（４Ｌ）を起点にして、前記４つの他の壁（６Ｌ〜８Ｌ）の少なくとも３つが、コンパクトな積み重ねを考慮して、前記開口上側（５Ｌ）の方向において互いに離れるように移動することを特徴とする貯蔵容器。
【発明の詳細な説明】
【技術分野】
【０００１】
本発明は、貯蔵容器に関し、詳細には、モジュール式貯蔵システムの構成用ブロックを形成することができる貯蔵容器に関する。
【０００２】
そのような貯蔵容器およびモジュール式貯蔵システムは良く知られているが、既存の解決策は欠点かつ限界を有する。
【０００３】
知られている貯蔵容器は概ね、下および上にある同型のビンとそれぞれ協働できる連結手段が上下に設けられた積み重ね可能なビンからなる。
【０００４】
そのようなビンの問題は、どのような品物がどのようなビンに保管されているかを見ることが容易でなく、および、品物をビンに保管できる前、または取り出せる前、必要なビンに至るまで、積み重ねをとにかくばらさなければならないことである。
【０００５】
あるいは、例えば国際公開第２０１００１１６２７号パンフレットに記載されているような、横方向のアクセスを有し、横方向に拡張できる引出しが設けられているかいないかのどちらかである積み重ね可能な箱またはその類似物がある。
【０００６】
この全てにより、概観およびアクセシビリティを維持することが簡単になるが、そのような貯蔵システムは、安定性に関する制約のため、積み重ね可能性が制限されるという点で限界を有する。
【０００７】
米国特許第３，９９９，８１８号明細書は、開放的な貯蔵構造体を組み立てることを可能にする様々な壁に連結手段が設けられた積み重ね可能な容器またはビンを記載している。
【０００８】
容器は、容器が組み立てられた状態のときでさえ、内部へのアクセスを提供する横からアクセスできる開口が設けられる。
【０００９】
しかしながら、上記の連結手段は、制限された数の組立て可能性だけを提供し、組立体の全体的な外観を、シンプルにして美的とみなすことはほとんどできない。
【００１０】
これらおよび他の欠点は、英国特許第２４４１３７８号明細書に記載されている箱に見出すことができる。
【００１１】
本発明は、モジュールが貯蔵システムに組み立てられた状態のときのような別個に使用されているときの両方で、異なる貯蔵容器への容易なアクセスを可能にし、および別個の補助手段をいっさい必要とすることなく、高度な柔軟性を有するが同時に誤った構造を防止する一次元、二次元または三次元の安定した構造体を組み立てることを可能にし、この間常に、貯蔵容器の外観に注意を払っている、貯蔵容器を提供することを目的とする。
【００１２】
このため、本発明は、内部空間を画定する概ね立方体のハウジングを含む貯蔵容器に関し、ハウジングが底壁、上壁、左側壁、右側壁、後壁、および前壁を含み、その全てが概ね正方形の外形を有し、それにより少なくとも前壁に、上記の各壁によって画定される内部空間へのアクセスを提供する開口が設けられ、およびそれにより少なくとも側壁は、それらの外面側に連結手段が設けられ、それによりこれら連結手段は、連結手段によってそのような貯蔵容器が、両方の前壁が同じ面にある状態で、または貯蔵容器の一方の前壁が他方の貯蔵容器の後壁と同じ面にある状態で、連結されることが可能になるような方法で作製され、それにより側壁に設けられた連結手段は少なくとも二柱式（ｂｉｐｏｌａｒ）にされ、それにより対向する柱が相補的すなわち連結可能であり、前壁および後壁と平行でありかつこれら壁の間の中間に概ね位置付けられる第１垂直正中面に対して対称に位置付けられ、それにより左側壁の連結手段および右側壁の連結手段を少なくとも含む２つの柱のそれぞれは、１つの雄型部分と１つの雌型部分からなり、それにより第１の柱の雄型部分は他方の柱の雌型部分と少なくとも相補的であり、およびそれにより壁あたり合計４つの連結部材が、関連する側壁の真中に概ね提供される仮想正方形の角に配置され、それにより２つの雄型部分および２つの雌型部分が仮想正方形の対角すなわち隣接しない角を占める。
【００１３】
明確にするため、貯蔵容器は、別段示されない場合、貯蔵容器からある距離でとられた、特に前壁の開口の延長部における視点から記載される。
【００１４】
ここで開口が前壁と呼ばれるものに設けられているという事実は、完全に任意である。
【００１５】
好ましい実施形態によれば、左側壁の柱は右側壁の柱と反対である、すなわち左側壁の正の柱が前壁付近に、従って負の柱が後壁付近に位置付けられている場合、これは右側壁では逆である。
【００１６】
実際、これにより、各前壁が反対方向に向けられているときでさえ、２つのそのような貯蔵容器を一緒に連結する可能性が提供される。
【００１７】
換言すると、そのような前壁の反対の向きは、２つの貯蔵容器の連結をもたらし、それにより各右壁または左壁が連結され、それにより各前壁は他の貯蔵容器の後壁と同じ面に位置付けられる。
【００１８】
左側壁の雄型部分および雌型部分は、右側壁の雄型部分および雌型部分と逆に配置される、すなわち、左側壁において、雄型部分は底部の前壁付近に位置付けられるが、右側壁において、雄型部分は上部の前壁付近に位置付けられる、またはその逆である。
【００１９】
そのような逆の配置は、貯蔵容器の左の位置からみると、貯蔵容器の右の位置から見るときと同じパターンであることに気付くので、連結手段が両方の側壁において対応して配置されていることを一目で示していることに留意されたい。
【００２０】
実際、両視点を起点にして、雌型部分の対角線は例えば左下から右上に走る。しかしながら、左下は、第１の観察において後壁付近に、第２の観察において前壁付近に位置する。
【００２１】
雄型部分を正の柱、雌型部分を負の柱と考えてもよいが、これは完全に任意である。
【００２２】
連結手段のそのような実施形態の結果、側壁ごとに、２つは正の柱であり２つは負の柱である４つの柱がもたらされ、それら柱はさらに、第１垂直正中面に対して、およびそれに対して直角であり前記底壁と上壁の間の真中に位置付けられる水平正中面に対して対称的に位置付けられる。
【００２３】
事実上、従って各側壁の連結手段は４つの柱を含むが、これら柱が２つずつグループ化されるものとして考慮されるとき、２つの柱は憂慮する。
【００２４】
これにより、各上壁が反対方向を向いているときでさえ、２つのそのような貯蔵容器を一緒に連結する可能性が提供される。
【００２５】
これが、例えば構造的な制限のために望ましくない場合、上に位置付けられた柱を相補的にし、同じく底に位置付けられた柱を相補的にする可能性が当然あるが、上に位置付けられた柱および底に位置付けられた柱は相補的でないようなやり方である。
【００２６】
このようにして、望ましくない結合および積み重ねは防止される。
【００２７】
しかしながら、視覚効果を維持するために、制限された方法でサイズまたは相互配置を調整するだけでよく、その結果、取付けはもはや不可能である。
【００２８】
雄型部分は第１の外径を有する円筒状突起からなってもよく、それは自由端部の近くに密閉キャップが設けられているかいないかのどちらかであり、設けられている場合、スタッドと呼ばれ、一方で、雌型部分は開放端部を有するスリーブと呼ばれる円筒状突起からなってもよく、それは第１の外径に遊びを持って対応する第１の内径によって特徴づけられ、その結果、雄型部分を適切な方法で雌型部分に、例えば押し込む方法で、挿入することができる。
【００２９】
これによって、関連する壁によって形成される面と平行な横方向の移動が防止され、そして連結が押込み特性を有する程度まで、同じく相互の分離移動を、意図されなかった限り、防止することができる。
【００３０】
エッジおよび溝等を協働連結部材に設けることによって、さらに確実な連結を達成できることは明らかである。
【００３１】
実施形態の好ましい変形によれば、後壁は、側壁の連結手段に対応する連結手段が設けられる。
【００３２】
これにより、各後壁を相互に連結することによって、および後壁を側壁に連結することによって、２つのそのような貯蔵容器を連結することが可能になる。
【００３３】
後者の連結は、それにより例えば壁構造が目標とされる貯蔵容器のより大規模な組立体で特に有用であり得、およびそれにより横断端部において、貯蔵容器の開口を壁の横断側に向けるように選択する。
【００３４】
実施形態の好ましい変形によれば、底壁および上壁は連結手段が設けられる。
【００３５】
これにより高さのある頑丈に積み重ねられた構造体を組み立てることが可能になる。
【００３６】
好ましい実施形態によれば、底壁に設けられた連結手段は、全体として上壁に設けられた少なくとも２つの連結手段と相補的な少なくとも２つの連結手段からなる。
【００３７】
そのような連結手段により、貯蔵容器を接着して横たえて組み立てることが可能になる。
【００３８】
接着して横たわる対称構造、すなわち、それにより正確に貯蔵容器の一方の第１半部が下の第１貯蔵容器に提供され、一方、貯蔵容器の他方の半部が下の第２の隣接する貯蔵容器に提供されることを確実にするために、底壁の少なくとも２つの連結手段のそれぞれが上壁の少なくとも２つの連結手段のそれぞれと相補的であること、および底壁および上壁の少なくとも２つの連結手段が、左側壁および右側壁と平行でありかつそれらの真中に位置付けられる第２垂直正中面に対して対称に位置付けられることが必要である。
【００３９】
一般的に、側壁に適用されるパターンをコピーし、それを底壁および上壁に適用することを考えるであろうが、前記連結手段は上記要件を満たさない、ゆえに接着して横たわる組立体を可能にしない。
【００４０】
さらに、このパターンは、各前壁の９０°または２７０°の相互回転が目的とされるとき、貯蔵容器が相互に組み立てられることを可能にしないであろう。
【００４１】
他方、そのようなパターンにより、貯蔵容器を組み立てることが可能になり、それにより側壁は上壁および底壁に連結され、これは例えば構造的制限および関連の安全性のせいであることを目的としない。
【００４２】
従って、側壁に適用された連結手段と相補的でない連結手段を選択することが好ましい。
【００４３】
それにもかかわらず、視覚的調和を得るために、好ましい実施形態によれば、第２の内径が側壁の雌型部分の第１の内径よりいくぶん小さいので、第１の外径を有する雄型部分を中に提供することを不可能にする第２の内径を雌型部分が有するというこの相違とともに、上壁の連結手段は側壁の連結手段と実質的に完全に対応する。
【００４４】
目はこれらの相違に気が付かないであろう。事実上、一見して雌型に見えるこれら部分は雄型部分として機能するが、それらはここでは密閉キャップが設けられない。それらの外径は、例えば、雄型部分と対応するように作ることができる。このようにして、雄型部分を、底壁に設けられた４つの雌型部分に挿入することができる。
【００４５】
底壁のこれら連結手段は、上壁の４つの雄型部分と組み合わせて機能できる４つの雌型部分からなり、地面に置かれるとき、それらの均一性と側壁に設けられた雄型部分の外径と比べて４つの雌型部分のより大きい外径のおかげで、追加の安定性を提供する。
【００４６】
底壁の各連結部材が上壁の各連結部材と相補的であるとき、および４つの連結部材が第２垂直正中面に対して対称に、同じく第１垂直正中面に対して対称に位置付けられるとき、貯蔵容器を、上に重ねて真直ぐに、あるいは接着して横たえて、各前壁の９０°、１８０°または２７０°の相互回転が可能な状態で、組み立てることが可能になる。
【００４７】
本発明の特徴をより深く説明するために、本発明による貯蔵容器の以下の好ましい実施形態を、単に例として、如何様にも限定することなく、添付図面を参照して与える。
【図面の簡単な説明】
【００４８】
【図１】図１は、斜視的に見た本発明による貯蔵容器を示す。
【図２】図２は、図１に従うが引出しが省略された貯蔵容器を示す。
【図３】図３は、図２に従う貯蔵容器を右側面図で示す。
【図４】図４は、図２に従う貯蔵容器を左側面図で示す。
【図５】図５は、図２に従う貯蔵容器を上面図で示す。
【図６】図６は、図２に従う貯蔵容器を底面図で示す。
【図７】図７は、図２に従う貯蔵容器を背面図で示す。
【図８】図８は、図２に従う貯蔵容器を正面図で示す。
【図９】図９は、図１に従う貯蔵容器を正面図で示す。
【図１０】図１０は、前半分が省略されたいくつかの重ねられた引出しを斜視的に示す。
【００４９】
図１は本発明による貯蔵容器１である。
【００５０】
貯蔵容器１は、内部空間３を画定する主として立方体のハウジング２を含む。
【００５１】
ハウジング２は、底壁４と、上壁５と、左側壁６および右側壁７と、後壁８と、前壁９とを含む。
【００５２】
これらの壁は全て、主として正方形の周辺形状を有するが、ここでは完全に平らではなく、周縁部の近くで丸められている。
【００５３】
前壁９には、上記の壁４〜９によって画定される内部空間３へのアクセスを提供する開口１０が設けられる。
【００５４】
側壁６と７、後壁８、底壁４、および上壁５は、外面側に連結手段１１が設けられ、それにより貯蔵容器１のいくつかを組み立て、連結することが可能になる。
【００５５】
図１〜９から明らかなように、連結手段１１はこの実施形態では円筒状突起から形成され、円筒状突起は自由端部の近くに密閉キャップが設けられているかいないかのどちらかである。
【００５６】
一見すると、異なる壁５〜８およびそれらに設けられた連結手段１１は、そのやり方で意図されたように、非常に似ているが、以下の説明から明らかになるように、連結手段１１はよく考え抜かれている。
【００５７】
左側壁６の連結手段１１および右側壁７の連結手段は、２つの雄型部分１２と２つの相補的な雌型部分１３とからなり、２つの雄型部分１２と２つの相補的な雌型部分１３は、該当する側壁６および７の真中に主として設けられる仮想正方形の角に配置され、それにより２つの雄型部分１２および２つの雌型部分１３は仮想正方形の対角すなわち隣接しない角を占める。
【００５８】
雄型部分１２を正の柱、雌型部分１３を負の柱と考えてもよいが、これは完全に任意である。
【００５９】
事実上、従って連結手段１１は各側壁６および７に４つの柱を含むが、これら柱が２つずつグループ化されるものとして考慮されるとき、２つの柱は憂慮する。雄型部分１２は第１の外径を有する円筒状突起からなり、それらはここでは自由端部の近くに密閉キャップ１４が設けられている。密閉キャップ１４が設けられたそのような雄型部分１２を同じくスタッド１５と呼ぶ。
【００６０】
雌型部分１３は常に開放端部を有する円筒状突起からなり、それらは雄型部分１２の第１の外径に遊びを持って対応する第１の内径によって特徴づけられ、その結果、雄型部分１２を適切な方法で雌型部分１３に、例えば押し込む方法で、挿入することができる。
【００６１】
開放遠位端を有する円筒状突起を同じくスリーブ１６と呼ぶが、明らかになるように、スリーブ１６は常に雌型連結部材１３であるとは限らない。
【００６２】
左側壁６の雄型部分１２および雌型部分１３は、右側壁７と逆に配置される、すなわち、左側壁６において、雄型部分１２は前壁９の近くで底部に位置付けられるが、右側壁７において雄型部分１２は前壁９の近くで上部に位置付けられる。これを逆にできることは明白である。
【００６３】
そのような逆の配置は、貯蔵容器１の左の位置からみると、貯蔵容器１の右の位置から見るときと同じパターンであることに気付くので、連結手段１１が側壁６および７の両方において対応して配置されていることを一目で示していることに留意されたい。
【００６４】
実際、両視点を起点にして、雌型部分１３の対角線は左下から右上に走る。しかしながら、左下は、第１の観察において後壁８付近に、第２の観察において前壁９付近に位置する。
【００６５】
連結手段１１のそのような実施形態の結果、側壁ごとに、２つは正の柱であり２つは負の柱である４つの柱がもたらされ、それら柱はさらに、第１垂直正中面に対して、および水平正中面に対して対称的に位置付けられる。
【００６６】
第１垂直正中面は、前壁９と後壁８に平行に位置付けられ、かつ主としてこれら壁８および９の中間に位置付けられる面として定義される。
【００６７】
水平正中面は、それに直角であり、かつ底壁４と上壁５の中間に位置付けられる面として定義される。
【００６８】
後壁８には、側壁６および７の連結手段１１に対応する連結手段１１が設けられる。
【００６９】
底壁４および上壁５には、側壁６および７に、および後壁８に設けられた連結手段１１と視覚的に非常に類似しているが相補的でない連結手段１１が設けられる。
【００７０】
上壁５に設けられた連結手段１１は、スリーブ１６が第１外径を有する雄型部分１２を中に配置することを許容しない第２内径を有するという点で、側壁６および７に設けられた連結手段１１と異なる。
【００７１】
そのために、ここでの場合のように、少なくとも雄型部分１２の外径が側壁６および７の雄型部分１２の外径に対応する場合、第２内径は側壁６および７の雌型部分１３の第１内径よりいくらか小さい。
【００７２】
あるいは雄型部分１２の外径を側壁６および７の雄型部分１２の外径よりいくらか大きくできること、または他の最小限の相違を提供できることは明白である。
【００７３】
一見してこれら上壁５のスリーブ１６は雌型部分のように見えるが、それらは雄型部分として機能する。
【００７４】
それらの外径、いわゆる第２外径は、ここでは雄型部分１２の第１外径に対応する。
【００７５】
底壁４には、上壁５の４つの機能的雄型連結部材と組み合わせて機能できる、従ってそれらと相補的な４つの雌型部分１３からなる連結手段１１が設けられる。
【００７６】
このため、それらは全て、第１内径を有するスリーブ１６である。
【００７７】
図１、２および８、ならびに上で言及した、内部空間３へのアクセスを提供する開口１０が設けられた前壁９を参照して、内部空間３の特徴を以下で考察する。
【００７８】
内部空間３は、壁４〜７の撓みに抵抗するように主として意図された一連のリブ１７によって特徴づけられる。
【００７９】
これらリブ１７は、開口１０を介して内部空間３に挿入できる引出し１８に対する支持を提供するように、壁４〜７を起点としてそれらからかなりの距離まで延びる。
【００８０】
引出し１８は、底壁４Ｌ、開口上部５Ｌ、左側壁６Ｌ、右側壁７Ｌ、後壁８Ｌ、および前壁９Ｌを含む。
【００８１】
ハウジング２と対照的に、引出し１８は立方体形状ではないが、前壁９Ｌはここでは概ね平らである。
【００８２】
水平に位置付けられた底壁４Ｌに対して、前壁９Ｌはここでは概ね垂直に延在するが、他の壁６Ｌ〜８Ｌは、上に向かう方向において、互いに徐々に離れて移動する。
【００８３】
前壁９Ｌは自由上縁２０付近に凹部１９が設けられる。
【００８４】
取り付けられた状態で、前壁９Ｌはハウジング２の前壁９と概ね一致すること、およびまた開口１０の外形が引出し１８の前壁９Ｌの周縁部と一致することに留意されたい。
【００８５】
本発明による貯蔵容器１の運用および使用は簡単であり、以下のようなものである。
【００８６】
第１貯蔵容器１は、底壁４を下に向けた状態で、例えば自立した状態で、複合貯蔵構造体を組み立てたい地面に置かれる。
【００８７】
別の貯蔵容器１が、例えば前壁９が同じ方向に向けられた状態で、第１貯蔵容器１の右側壁７に対して置かれ、隣接する側壁６および７の相補的連結手段１１を協働させることによって、第１貯蔵容器１と連結される。
【００８８】
この全てを、貯蔵構造体の線状基本構造が得られるように繰り返すことができる。
【００８９】
複合貯蔵構造体の上方構造に関して、貯蔵容器１を下の層に接着して横たえるように提供することを選択してもよく、それは当然のことながら全体として貯蔵構造体の強度を促進する。
【００９０】
接着して横たえるそのような構成は、底壁４および上壁５の連結手段１１が、側壁６および７の連結手段１１に対応する場合、不可能であろう。
【００９１】
しかしながら、貯蔵容器１は同じく横方向に連結され、それらを接着剤なしに組み立てることできるので、接着組立体は必要ない。
【００９２】
連結手段１１によって、それらが設けられる壁によって形成される面と平行な横方向の移動が防止され、そして連結が押込み特性を有する程度まで、同じく前記面に直角な方向における相互の分離移動を防止できる、または困難にすることができる。
【００９３】
第１垂直正中面周囲の対称的二柱性のおかげで、および右側壁７の構成に対する左側壁６の柱の逆構成のおかげで、いくつかの貯蔵容器１を１８０°、すなわち前壁９を反対方向に向けた状態に回転させることを任意選択的に選択してもよいことに留意されたい。
【００９４】
後壁８の連結手段１１が側壁６および７の連結手段と対応するので、複合貯蔵構造体の横断端部の貯蔵容器１を、代替的に９０°、すなわち前壁９が横断端部の方向にある状態に回転させることができる。
【００９５】
同じく後壁８は相互に連結可能であり、それにより複合貯蔵構造体は、後壁８と後壁８によって、すなわち、換言すると「背中合わせ」で連結されている貯蔵容器１の「二重壁」からなることができる。
【００９６】
２つのそのような貯蔵容器１を一緒に連結することの意図しない可能性は、それらの各上壁５が反対方向に向けられている場合さえ、上壁５および底壁４の連結手段１１の特別なディテールによって防止される。
【００９７】
このようにして、あらゆる望まない積み重ねは防止される。
【００９８】
同じく側壁６または７の、あるいは後壁８の、上壁５または底壁４への意図せぬ連結は防止される。
【００９９】
実際、底壁４および上壁５には、目的通りに、側壁６および７、ならびに後壁８に設けられたような連結手段１１と非常に似ているが相補的でない連結手段１１が設けられる。
【０１００】
底壁４には、上壁５の４つの雄型部分１２と組み合わせて機能できる、従ってそれらと相補的である４つの雌型部分１３からなる連結手段１１が設けられる。
【０１０１】
換言すると、それらは上壁５に設けられた連結手段１１との連結のみを、しかしあらゆる所望の方向の、そして接着して横たわるような連結を、許容する。
【０１０２】
この全てにより、上壁５を側壁６または７に、あるいは後壁８に連結した状態で貯蔵容器１が連結されることが防止される。
【０１０３】
所与の実施形態では、貯蔵容器１は、上壁５に対して直角に向けられた力に対抗して、撓み抵抗性を主に提供できるので、そのような連結は実際に望まれないであろう。
【０１０４】
上壁の連結手段１１の視覚的相似は、美的な釣り合いについて設計された。従って美的なつり合いは達成される。
【０１０５】
底壁４に設けられた連結手段１１の各連結部材は上壁５の各連結部材と相補的であること、および４つの連結手段は第２垂直正中面に関して、同じく第１垂直正中面に関して、対称的に位置付けられることに留意されたい。
【０１０６】
この全てにより、貯蔵容器１を、上に重ねてまたは接着して横たえて、各前壁の９０°、１８０°または２７０°の相互回転が可能な状態で、真直ぐに組み立てることが可能になる。
【０１０７】
側壁６および７、ならびに後壁８に設けられた連結手段１１によって提供されるような既に考察した可能性とともに、考察される好ましい実施形態は多数の組立て可能性を提供し、それによりあらゆる望ましくない組立ての危険性は最小限に制限される。
【０１０８】
まとめると、本発明による貯蔵容器１はそのようにまたは個々に使用可能であり、または本発明による貯蔵容器１は、各前壁の９０°、１８０°または２７０°の相互回転が可能な状態で、一次元、二次元または三次元構造に組立て可能であり、それにより底壁４は１つまたは２つの上壁５に連結可能であり、三次元構造は接着して横たえる構成に適用し、および／または、本発明による貯蔵容器１は、協働しかつ連結される側壁６および／または７および／または後壁８によって組み立て可能であり、その間、対称性および関係する全側面の視覚的に同一に見える連結部材は維持される。
【０１０９】
記載したように、内部空間３は、壁からかなりの距離まで延びる一連のリブ１７によって特徴づけられ、その結果、引出し１８は一方で内部空間３に導入可能であり、かつ他方でこれらリブ１７によって支持され、その上に載る。
【０１１０】
記載したような引出し１８の形状により、異なる引出し１８を互いに重ねることが可能になり、コンパクトな保管および効率的な輸送が可能になる。
【０１１１】
引出し１８の前壁９Ｌの自由上側縁部２０付近の凹部１９により、引出しが貯蔵容器１に導入されたあと、引出しを開けることが可能になる。
【０１１２】
本発明は、例として記載され図面に示された実施形態に決して制限されない。反対に、本発明による貯蔵容器は、本発明の範囲内に留まりながら、あらゆる種類の形状および寸法に作製することができる。
【図１】
2014532011.tif 000003
【図２】
2014532011.tif 000004
【図３】
2014532011.tif 000005
【図４】
2014532011.tif 000006
【図５】
2014532011.tif 000007
【図６】
2014532011.tif 000008
【図７】
2014532011.tif 000009
【図８】
2014532011.tif 000010
【図９】
2014532011.tif 000011
【図１０】
2014532011.tif 000012
【国際調査報告】
2014532011.tif 000013
2014532011.tif 000014